Podtech/llm-jp-corpus-v4-ja_patent huggingface dataset:
(57)【要約】      （修正有）【課題】靴を履いて家の中を歩けるようにする靴用スリッパを提供する。【解決手段】粘着性のある固形ゲル１の上部に靴との粘着面を設ける。固形ゲル１の縁２、先端部３、カカト４に高さを設け、固形ゲル１の上部粘着面の底面から先端部３と縁２に向かい緩やかな斜面５を設ける。固形ゲル１の下部に粘着性のない素材６を設ける。【選択図】図１
0003189651.tif 000002
【実用新案登録請求の範囲】
【請求項１】
粘着性のある固形ゲルを設け、
固形ゲルの上部に靴との粘着面を設け、
固形ゲルの下部に粘着性のない素材を設け、
固形ゲルの上部粘着面の底面から縁と先端部に向けて緩やかな斜面を設けた靴用ゲルスリッパ。
【考案の詳細な説明】
【技術分野】
【０００１】  本考案は靴を履いて家の中を歩けるようにする靴用スリッパに関するものである。
【背景技術】
【０００２】  従来、靴を履いた状態で家の中に引き返す時は、靴を脱がなければならないという面倒があった。
また女性が室内での服装確認時に靴を含めて全身を鏡で見る時には、床が汚れてしまうため、下に何かを敷かなければならない面倒もあった。
本考案は以上の問題点を解決するためになされたものである。
【考案の概要】
【考案が解決しようとする課題】
【０００３】従来、靴を履いた状態で家の中に引き返す時は、靴を脱がなければならないという面倒があった。
また女性が室内での服装確認時に靴を含めて全身を鏡で見る時には、床が汚れてしまうため、下に何かを敷かなければならない面倒もあった。
【課題を解決するための手段】
【０００４】  粘着性のある固形ゲルを設け、固形ゲルの下部に粘着性のない素材を設ける。
固形ゲルの上部の粘着力により靴の底と粘着し、体重の圧力と固形ゲルの粘着力により、人力でないと容易にはずれなくなり、下部の粘着性のない素材により、床と粘着せず家の中で移動が可能となる。
【考案の効果】
【０００５】  従来、家の中に引き返す用事があっても、靴を履いた状態では靴を脱がなければならなく、引き返すことが面倒であり靴を脱ぐ手間もかかってしまっていたが、本考案により問題を解決する事が可能となる。
また女性が室内での服装確認時に靴を含めて全身を鏡で見る時には、床が汚れてしまうため、下に何かを敷かなければならない面倒も解決することができ、家の中で汚れを気にせず靴が履ける状態になる。
また先端部、縁、カカト部に高さを設けることにより、移動時のさらなる靴との密着性を向上させる。
また粘着性のある固形ゲルは、水洗いで粘着力が元に戻るため、くり返し使え環境面でも優れている。
【図面の簡単な説明】
【０００６】
【図１】  本発明の横視図
【考案を実施するための形態】
【０００７】  以下、本考案を実施の形態を説明する。
粘着性のある固形ゲル（１）の上部に靴との粘着面を設ける。
固形ゲル（１）の縁（２）、先端部（３）、カカト（４）に高さを設け、固形ゲル（１）の上部粘着面の底面から先端部（３）と縁（２）に向かい緩やかな斜面（５）を設ける。
固形ゲル（１）の下部に粘着性のない素材（６）を設ける。
本考案は以上のような構造である。
本考案を使用するときは、
固形ゲル（１）の上から靴を履いた状態の足を密着させる。
固形ゲル（１）の粘着力と縁（２）カカト（４）、緩やかな斜面（５）により、人力でなければ靴から容易に取れない状態になる。
また固形ゲル（１）の下部の粘着性のない素材（６）により地面と密着せず家の中を移動できる。
脱ぐ場合には剥がすように取れば容易に取れ、粘着力は水洗いで元に戻るので、何度でもくり返し使える。
【符号の説明】
【０００８】１固形ゲル、  ２縁、  ３先端部、  ４カカト、  ５緩やかな斜面、
６粘着性のない素材、
【図１】
0003189651.tif 000003
(57)【要約】【課題】人手も時間も要せず害虫の完全駆除を行う害虫駆除装置を提供する。【解決手段】殺虫剤９を入れるための側面に複数の噴霧口１２が開けられた円筒状のタンク８と、タンク８の上部に取り付けられたプロペラ羽根７と、プロペラ羽根７を回転駆動するモーター５と、モーター５を収納するための側面に複数の空気入口１０が開けられた円筒形状のモーターカバー４と、モーター４に電力を供給するソーラー発電機１とを備え、モーターカバー４はタンク８の上側に複数の空気通り口１１が開けられた仕切りフタ６を介して配置されている。【選択図】図２
0003189653.tif 000002
【実用新案登録請求の範囲】
【請求項１】
殺虫剤を入れるための側面に複数の噴霧口が開けられた円筒状のタンクと、前記タンクの上部に取り付けられたプロペラ羽根と、前記プロペラ羽根を回転駆動するモーターと、前記モーターを収納するための側面に複数の空気入口が開けられた円筒形状のモーターカバーと、前記モーターに電力を供給するソーラー発電機とを備え、前記モーターカバーは前記タンクの上側に複数の空気通り口が開けられた仕切りフタを介して配置されている害虫駆除装置。
【請求項２】
前記モーターカバーの側面には前記空気入口が全周に渡って開けられ、前記タンクの側面には前記噴霧口が全周の一部に開けられている請求項１に記載の害虫駆除装置。
【考案の詳細な説明】
【技術分野】
【０００１】  本考案は、モーターでプロペラ羽根を回転させ、気化した殺虫剤を噴射する害虫駆除装置に関する物である。
【背景技術】
【０００２】  従来は、害虫の駆除方法として害虫を手作業で摘除するか、または殺虫剤を散布していた。
【考案の概要】
【考案が解決しようとする課題】
【０００３】  従来の手作業による摘除では、時間や人手を要するものの完全駆除に問題があった。【０００４】  本考案は、人手も時間も要せず害虫の完全駆除を行う害虫駆除装置を提供するものである。
【課題を解決するための手段】
【０００５】  本考案の害虫駆除装置は、殺虫剤を入れるための側面に複数の噴霧口が開けられた円筒状のタンクと、前記タンクの上部に取り付けられたプロペラ羽根と、前記プロペラ羽根を回転駆動するモーターと、前記モーターを収納するための側面に複数の空気入口が開けられた円筒形状のモーターカバーと、前記モーターに電力を供給するソーラー発電機とを備え、前記モーターカバーは前記タンクの上側に複数の空気通り口が開けられた仕切りフタを介して配置されている。
この害虫駆除装置を、害虫駆除対象の木の根元に設置しておけば、人手も時間も要せず害虫の完全駆除を行うことができる。
【考案の効果】
【０００６】  本考案によれば、人手も時間も要せず害虫の完全駆除を行うことができる。
【図面の簡単な説明】
【０００７】
【図１】本考案の害虫駆除装置の全体を示す正面図である。
【図２】本考案の害虫駆除装置の全体を示す斜視図である。
【図３】本考案の害虫駆除装置を木の根元に配置した状態を示す図である。
【考案を実施するための形態】
【０００８】  以下、図面を用いて本考案の実施例を説明する。
【実施例】
【０００９】  図１、図２に示すように本考案の害虫駆除装置２０は、殺虫剤９の入った円筒形状のタンク８と、タンク８の上部に取り付けられたプロペラ羽根７を回転駆動するモーター５と、モーター５を収納する円筒形状のモーターカバー４と、モーター５に電力を供給するソーラー発電機１を備えている。ソーラー発電機１は、ソーラー支柱３で支えられたソーラー受台２に乗せられており、太陽光が当たり易いようにその向きを変えることができる。【００１０】  モーターカバー４はタンク８の上側に、仕切りフタ６を介して配置されている。モーター５は仕切りフタ６の上側に取り付けられ、プロペラ羽根７は仕切りフタ６の下側に取り付けられている。【００１１】  モーターカバー４の側面には、外気が取り入れられるように複数の空気入口１０が全周に渡って開けられている。仕切りフタ６には、空気入口１０から取り入れた空気をタンク８に通過させるための複数の空気通り口１１が開けられている。タンク８の側面には、気化した殺虫剤９を外側に噴霧する複数の噴霧口１２が、一定の方向にのみ噴霧するように全周の一部に開けられている。【００１２】  ソーラー発電機１によりモーター５に電力が供給されると、モーター５によりプロペラ羽根７が回転する。プロペラ羽根７が回転すると、外気が空気入口１０より取り入れられ、その外気は仕切りフタ６の空気通り口１１を通過し、タンク８内で気化した殺虫剤９は噴霧口１２を通して外部に勢いよく噴霧される。このように、殺虫剤９を噴霧したい方向に向けて噴霧口１２を開けると、噴霧したい場所に集中して効率的に殺虫剤９を噴霧できる。【００１３】  図３に示すように、スミチオン（登録商標）などの殺虫剤９を入れた害虫駆除装置２０を、害虫の幼虫１５が発生した椿などの木１３の根元１４の近くで、太陽光のあたり易い場所に設置する。ソーラー発電機１が発電してプロペラ羽根７が回転すると、気化した殺虫剤９が害虫駆除装置２０から噴霧されて上方へ拡散していくので、葉裏にいる幼虫１５を効果的に駆除できる。また、駆除できずに生き残った幼虫は蛹化するために木１３の根元１４を伝って下りてくるが、この幼虫１５の通り道の方向に噴霧口１２が向くように害虫駆除装置２０を置くことにより、生き残った幼虫も木１３の根本１４において効果的に駆除できる。【００１４】  茶毒我の幼虫は、高さ約２ｍ、幅１．２ｍの椿の木１３の、地上より１ｍ辺りのしっかりした葉の裏に頭部をそろえて群生しており（図３を参照）、年２回の発生で老熟幼虫は落葉下で蛹となる。木１３の根元１４に害虫駆除装置２０を置き、スミチオン（登録商標）の水和剤１０００倍を気化噴霧することにより、葉裏の茶毒我の幼虫１５を効果的に駆除できることができた。また、生き残った幼虫１５の通り道となる木１３の根元１４に殺虫剤９を噴霧することにより老熟幼虫を完全駆除することができた。
【符号の説明】
【００１５】１    ソーラー発電機
２    ソーラー受台
３    ソーラー支柱
４    モーターカバー
５    モーター
６    仕切りフタ
７    プロペラ羽根
８    タンク
９    殺虫剤
１０  空気入口
１１  空気通り口
１２  噴霧口
１３  椿
１４  木根元
１５  幼虫
２０  害虫駆除装置
【図１】
0003189653.tif 000003
【図２】
0003189653.tif 000004
【図３】
0003189653.tif 000005
(57)【要約】      （修正有）【課題】廊下や公園等の屋内外に設置できる握りやすい新規形状の手摺りを提供する。【解決手段】円筒形で構成される手摺り１であって、太径で、同一径の状態で構成される一端側の端部１ａからＲ状を維持する状態で直線状に細くなる円錐周面部１ｂに至り、この円錐周面部１ｂを経て細径Ｒ状の谷部１ｃに至り、谷部１ｃから逆に直線状に太くなる円錐周面部１ｄを経て太径Ｒ状の山部１ｅに至り、そしてこの谷部１ｃ、山部１ｅを交互に繰り返したものが他端部に至り、他端部において再びＲ状を維持する状態で太径の端部１ａとなる形状とする。端部１ａの外径をＡ、谷部１ｃの外径をＢ、山部１ｅの外径をＣとしたとき、Ａ：Ｂ：Ｃ＝１：０．８：１の比率であり、端部１ａの長さをＤ、谷部１ｃおよび山部１ｅのピッチをそれぞれＥとしたとき、Ｄ：Ｅ＝２．２５：３．２５の比率であることが好ましい。【選択図】図５
0003189686.tif 000002
【実用新案登録請求の範囲】
【請求項１】
廊下、スロープ、階段、玄関、浴室、トイレ、洗面所、展示場等の屋内、または公園、歩道、歩道橋、参道等の屋外に設置することができる手摺りであって、該手摺り１は、円筒形で構成されるものであって、太径で、同一径の状態で構成される一端側の端部１ａからＲ状を維持する状態で正面視で直線状に細くなる円錐周面部１ｂに至り、該円錐周面部１ｂを経て細径Ｒ状の谷部１ｃに至り、該谷部１ｃから前記とは逆に正面視で直線状に太くなる円錐周面部１ｄを経て太径Ｒ状の山部１ｅに至り、該谷部１ｃ、山部１ｅを交互に繰り返したものが他端部に至り、該他端部において再びＲ状を維持する状態で太径の端部１ａとなる形状の手摺りであることを特徴とする手摺り。
【請求項２】
端部１ａの外径をＡ、谷部１ｃの外径をＢ、山部１ｅの外径をＣとしたときに、Ａ：Ｂ：Ｃ＝１：０．８：１の比率であり、端部１ａの長さをＤ、谷部１ｃおよび山部１ｅのピッチをそれぞれＥとしたときに、Ｄ：Ｅ＝２．２５：３．２５の比率であることを特徴とする請求項１記載の手摺り。
【考案の詳細な説明】
【技術分野】
【０００１】
本考案は、廊下、スロープ、階段、玄関、浴室、トイレ、洗面所、展示場等の屋内、または公園、歩道、歩道橋、参道等の屋外に設置することができる手摺りの技術分野に属するものである。
【背景技術】
【０００２】
一般に、廊下、スロープ、階段、玄関、浴室、トイレ、洗面所、展示場等の屋内や公園、歩道、歩道橋、参道等の屋外に手摺りを設置することがある。このような手摺りのなかには、特許文献１に示すようなものが知られている。
【先行技術文献】
【特許文献】
【０００３】
【特許文献１】意匠登録第１２１６２６８号公報
【考案の概要】
【考案が解決しようとする課題】
【０００４】
本件考案は、このように公知の特許文献１のものとは形状が異なるものを提供せんとするものであり、ここに本考案の解決すべき課題がある。
【課題を解決するための手段】
【０００５】
本考案は、上記の如き実情に鑑みこれらの課題を解決することを目的として創作されたものであって、請求項１の考案は、廊下、スロープ、階段、玄関、浴室、トイレ、洗面所、展示場等の屋内、または公園、歩道、歩道橋、参道等の屋外に設置することができる手摺りであって、該手摺り１は、円筒形で構成されるものであって、太径で、同一径の状態で構成される一端側の端部１ａからＲ状を維持する状態で正面視で直線状に細くなる円錐周面部１ｂに至り、該円錐周面部１ｂを経て細径Ｒ状の谷部１ｃに至り、該谷部１ｃから前記とは逆に正面視で直線状に太くなる円錐周面部１ｄを経て太径Ｒ状の山部１ｅに至り、該谷部１ｃ、山部１ｅを交互に繰り返したものが他端部に至り、該他端部において再びＲ状を維持する状態で太径の端部１ａとなる形状の手摺りである。
請求項２の考案は、端部１ａの外径をＡ、谷部１ｃの外径をＢ、山部１ｅの外径をＣとしたときに、Ａ：Ｂ：Ｃ＝１：０．８：１の比率であり、端部１ａの長さをＤ、谷部１ｃおよび山部１ｅのピッチをそれぞれＥとしたときに、Ｄ：Ｅ＝２．２５：３．２５の比率であることを特徴とする請求項１記載の手摺りである。
【図面の簡単な説明】
【０００６】
【図１】部分正面図である。
【図２】部分平面図である。
【図３】部分左側面図である。
【図４】部分右側面図である。
【図５】Ｘ−Ｘ部拡大図である。
【図６】右側面拡大図である。
【図７】Ｘ部のＹ−Ｙ断面図である。
【図８】部分斜視図である。
【図９】Ｘ部拡大背面斜視図である。
【図１０】各部位の外径、長さ、ピッチを記す部分斜視図である。
【考案を実施するための形態】
【０００７】
次ぎに、本考案の実施の形態について、図面を用いて説明する。図面において、１は廊下、スロープ、階段、玄関、浴室、トイレ、洗面所、展示場等の屋内、または公園、歩道、歩道橋、参道等の屋外に設置することができる手摺りであって、該手摺り１は、図示されるように円筒形で構成されるものであって、太径で、同一径の状態で構成される一端側の端部１ａからＲ状を維持する状態で直線状に細くなる円錐周面部１ｂに至り、この円錐周面部１ｂを経て細径Ｒ状の谷部１ｃに至り、該谷部１ｃから前記とは逆に直線状に太くなる円錐周面部１ｄを経て太径Ｒ状の山部１ｅに至り、そしてこの谷部１ｃ、山部１ｅを交互に繰り返したものが他端部に至り、この他端部において再びＲ状を維持する状態で太径の端部１ａとなる新規形状の手摺りである。
【０００８】
しかも該手摺り１は、端部１ａの外径をＡ、谷部１ｃの外径をＢ、山部１ｅの外径をＣとしたときに、Ａ：Ｂ：Ｃ＝１：０．８：１の比率であり、また端部１ａの長さをＤ、谷部１ｃおよび山部１ｅのピッチをそれぞれＥとしたときに、Ｄ：Ｅ＝２．２５：３．２５の比率で構成されている。
【産業上の利用可能性】
【０００９】
本考案は、廊下、スロープ、階段、玄関、浴室、トイレ、洗面所、展示場等の屋内、または公園、歩道、歩道橋、参道等の屋外に設置することができる手摺りとしての産業上の利用可能性がある。
【符号の説明】
【００１０】
１    手摺り
１ａ  端部
１ｂ  円錐周面部
１ｃ  谷部
１ｄ  円錐周面部
１ｅ  山部
【図１】
0003189686.tif 000003
【図２】
0003189686.tif 000004
【図３】
0003189686.tif 000005
【図４】
0003189686.tif 000006
【図５】
0003189686.tif 000007
【図６】
0003189686.tif 000008
【図７】
0003189686.tif 000009
【図８】
0003189686.tif 000010
【図９】
0003189686.tif 000011
【図１０】
0003189686.tif 000012
(57)【要約】      （修正有）【課題】一般家庭、病院、介護施設等において、仰臥した要介護者の洗髪・調髪・ドライをベッド上等で快適に短時間で、また施術者の負担を軽減する椅子を提供する。【解決手段】中央部で折り曲げ可能にしパイプ１で周囲を形成、折り曲げ部はラチェットヒンジ５で角度調整を可能にした。背凭れは肩下までビニル布シート２を張り、体触れるパイプ部分には緩衝材４を使用した。枕７は着脱式にし用途に合わせて高さを変更できるようにした。控え６、は座部パイプと頑丈に固定し、はねだして使用しても転倒しない作りとした。受水ボール受枠８は軽量のパイプを使用し、背凭れ縦のパイプ１ａに固定し伸縮できるようにした。受水ボール９は受水ボール受枠８の伸縮により収納できる構造とし、中央部に排水口を設け、洗髪とカット後の毛くずの飛散の防止ができるようにした。【選択図】図１
0003189883.tif 000002
【実用新案登録請求の範囲】
【請求項１】
中央部で折り曲げ可能にしパイプで周囲を形成したリクライニング椅子と後頭部に枕を設け、シャンプー可能な受水ボール部分を設け、寝た状態で洗髪・カット・ドライが行える事を特徴とした椅子。
【請求項２】
折り曲げ部にはラチェットヒンジを使用し、中央の座部に転倒防止控えパイプを設けた、請求項１記載の椅子
【請求項３】
受水ボール部分は伸縮可能で収納でき、耐水ビニール布シートを袋状にし排水口を設け、下端面の中央付近を丸く切り抜くことにより、脱着可能にし、たくれ上がり防止にフックで固定し、枕部分は着脱式にし用途に合わせて高低差の変更を可能にした、請求項１又は請求項２記載の椅子
【考案の詳細な説明】
【技術分野】
【０００１】
本考案の椅子は寝たきりの人や病人（横臥者）等の洗髪・調髪・ドライをベッド上等で、簡単容易にし要介護者、施術者の負担を軽減する椅子に関するものである
【背景技術】
【０００２】
洗髪する場合は、ベッド上にごみ袋タオル等で簡易シャンプー台をその都度作成したり、看護用簡易式洗髪用シートや紙おむつを使用して行っているが、ペットボトル等を用いるため、洗い流す湯量が極少量で不快感がある、また折畳み洗髪器は不快感は解消するが持ち運ぶ部品も多く空気ポンプでの成形、設置に時間を要している。また、カットの場合は座布団を背中にあてがい介護者が頭部を補助したり、また背中を支える美容用の枕を、使用しながら理美容師がカットしている、前記述の行為は、すべてベッド、布団の中央部での行為であり中腰等、無理な姿勢での作業が要求される、またベッドには頭部側からの洗髪もあるが、ベッド頭部側、足側につい立がある場合いも多い
【先行技術文献】
【特許文献】
【０００３】
実用新案登録第２５９２８８６号  折畳み洗髪器
実用新案登録第３１２４６９３号  頭部と背中を支える美容用の枕
【考案の概要】
【考案が解決しようとする課題】
【０００４】
本考案は、寝たきりの人や病人（横臥者）等の洗髪・洗髪後の十分なすすぎ、カット・ドライが簡単容易にでき要介護者負担の軽減や施術者の無理な姿勢を解消させる器具を開発提供することにある。
【課題を解決するための手段】
【０００５】
上記問題点を解決する為に椅子を軽量・コンパクト・簡単にする事により誰でも、手軽に持ち運びが出来、シャンプー台を折り畳み伸縮収納することにより設営に手間が省け、ベッドからせり出した状態で使用することにより、介護者の負担の軽減できるようにした椅子。
【考案の効果】
【０００６】
本考案の椅子は、コンパクト軽量なので運搬が楽で、施術時間が短くなり要介護者の体力消耗の軽減につながる、ベッド側面の外側で作業ができるので介護する人の強力な手助けとなる。
【図面の簡単な説明】
【０００７】
【図１】本考案にかかるイスの構成を示す外観図である。
【図２ａ】受水ボールを示す平面図である。
【図２ｂ】図２ａのａ−ａ断面図である。
【図３】前髪、頭頂部カット・洗髪時の実施方法を示した説明図である。
【図４】側頭、後頭部カット時の実施方法を示した説明図である。
【考案を実施するための形態】
【０００８】
以下本考案の形態を図面に基づき詳細に説明する。
図１は本考案の椅子Ａを、控えパイプ６がベッドから出ないようにし、ベッドと約４５°の角度で、はね出し使用する状態の基本形態を示した斜視図である。
中央部で折り曲げ可能にしパイプ１で周囲を形成、折り曲げ部はラチェットヒンジ５で角度調整を可能にした
【０００９】
背凭れは肩下までビニル布シート２を張り、体触れるパイプ部分には緩衝材４を使用した。
【００１０】
枕７は着脱式にし用途に合わせて高さを変更できるようにした。
【００１１】
控え６、は座部パイプと頑丈に固定し、はねだして使用しても転倒しない作りとした。
【００１２】
受水ボール受枠８は軽量のパイプを使用し、背凭れ縦のパイプ１ａに固定し伸縮できるようにした。
【００１３】
受水ボール９は受水ボール受枠８の伸縮により収納できる構造とし、中央部に排水口を設け、洗髪とカット後の毛くずの飛散の防止ができるようにした。
【００１４】
背凭れ縦のパイプ１ａにフック１２を固定し受水ボール９のフック掛け１３を付けることにより、受水ボール９を収納から拡張する時の、たくれ上がりを防止した。
【００１５】
図２ａは、受水ボール９の実施方法を示した説明図である。
受水ボール９は耐水ビニル布シートで、袋状にし下端面の中央付近を丸く切り抜くことにより、着脱が可能になり衛生を保てる構造とした平面図である。
【００１６】
図２ｂは、図２ａの断面図である。
【００１７】
図３は、前髪、頭頂部カット・洗髪時の実施方法を示した説明図である。
横臥人を上向きにし、ベッドから控え６が、はみ出ないようにし、洗髪前髪頭頂部カット用枕７ａを使用した側面図である。（ 実施例１ ）
【００１８】
図４は、側頭、後頭部カット時の実施方法を示した説明図である。
横臥人を横向きにし側頭後頭部カット用枕７ｂを使用した側面図である。（ 実施例２ ）
【符号の説明】
【００１９】
Ａ     イス
１     パイプ（主構造）
１ａ   パイプ （縦側）
２     耐水ビニル布シート
３     背凭れ金属パイプ
４     緩衝材
５     ラチェットヒンジ
６     控え
７     枕
７ａ   洗髪・前髪頭頂部カット用枕
７ｂ   側頭後頭部カット用枕  
８     受水ボール受枠
９     受水ボール
１０   排水ホース
１１   排水口
１２   フック
１３   フック掛け
【図１】
0003189883.tif 000003
【図２ａ】
0003189883.tif 000004
【図２ｂ】
0003189883.tif 000005
【図３】
0003189883.tif 000006
【図４】
0003189883.tif 000007
(57)【要約】      （修正有）【課題】ＬＥＤの連続した発光パターンを有する発光風鈴を提供する。【解決手段】釣鐘状音発生部材である風鈴１に一つ以上の発光体を内蔵した部材２を取りつけ、音発生を発光開始タイミングとして、複数の発光体を順次発光させることで演出効果の高い風鈴を提供する。発光順序（パターン発光）は複数のパターンを設定することができる。同時に複数のパターンを発光させることも可能である。パターンはマイコンによってプログラムすることができ、パターンの選択とパターン発光のタイミングもマイコンによって制御することができる。【選択図】図１
0003189845.tif 000002
【実用新案登録請求の範囲】
【請求項１】
釣鐘状音発生部材に一つ以上の発光体を内蔵した部材を取りつけ、音発生を発光開始タイミングとして、連続した発光パターンを有する発光風鈴。
【考案の詳細な説明】
【技術分野】
【０００１】
本考案は発光する風鈴に関するものである。
【背景技術】
【０００２】
風鈴は日本の伝統工芸品であり、夏の風物詩として清涼感ある音色を鑑賞するものである。
【０００３】
風がない状態でも音を発生するように風鈴に電子音発生部品を付加したものや、LEDなどの発光体を組み込むことにより、より鑑賞価値を高めた風鈴がすでに考案されている。
【先行技術文献】
【特許文献】
【０００４】
【特許文献１】実用新案登録第３１２１１３０号公報
【特許文献２】特開２００１−２０９３８６号公報
【特許文献３】特開２０１２−０２４２８９号公報
【考案の概要】
【考案が解決しようとする課題】
【０００５】
風鈴は夏の風物詩として広く知られた伝統工芸品であり、LED等の発光体を内蔵することで付加価値を高めた商品も市場に提供されているが、発光パターンが単調であり演出性に乏しい。
【課題を解決するための手段】
【０００６】
釣鐘状音発生部材に一つ以上の発光体を内蔵した部材を取りつけ、音発生を発光開始タイミングとして、連続した発光パターンを有することで演出効果の高い風鈴を提供する。
【考案の効果】
【０００７】
風鈴の音が発生すると同時に、複数のLEDが連続して発光するので演出効果を増大させることができる。
【図面の簡単な説明】
【０００８】
【図１】概略図
【図２】風鈴内部
【図３】制御部
【実施例】
【０００９】
本考案は、天井や軒下等に吊糸によって吊される釣鐘状音発生部材と該部材の下方に音発生用衝突部材、風受部材を有する風鈴に複数の発光部材とパターン発光（発光部材の順次発光）を可能にするマイコンを内蔵することを特徴する。
【００１０】
釣鐘状音発生部材および音発生用衝突部材は金属、樹脂、ガラスから選択することができる。風受部材は紙、樹脂などの軽材料から選択することできる。釣鐘状音発生部材、音発生用衝突部材および風受部材は市販されている風鈴を使用することもできる。
【００１１】
発光部材（図１−３）は発光ダイオード（ＬＥＤ）を使用することができる。ＬＥＤの明るさはＬＥＤドライバを使って、電流調光もしくはＰＷＭ調光によって行うことができる。ＬＥＤの点滅はＬＥＤ点滅駆動ＩＣ（Ｍ３４−２Ｌ、ＢｏｗｉｎＭｉｃｒｏｅｌｅｃｔｒｏｎｉｃｓ社）を使って簡単に実施することができる。自己点滅ＬＥＤ（ＯＳＥＲ５Ｘ３１Ａ−２．８ＨＺ、ＯｐｔｏＳｕｐｐｌｙ社）を使っても実施することができる。ＬＥＤドライバ、ＬＥＤ点滅駆動ＩＣは発光部電子回路（図３−７）に取り付けることができる。
【００１２】
ＬＥＤの順次点灯はマイコン（ＰＩＣ１２Ｆ６８３、ＭｉｃｒｏｃｈｉｐＴｅｃｈｎｏｌｏｇｙ社）を使って実施することができる。マイコンは発光部電子回路（図３−８）に取り付けることができ、マイコン、発光部材等の電源が必要な部材の電源も図３−８に取り付けることができる。
【００１３】
パターン発光は複数の発光体に対して任意のパターンを設定することできる。発光体を直線に並べた場合は、一方の端から反対の端側へ順次点灯させることによって、光が流れるような演出が可能である。発光体を同心円状に並べた場合は、中心から円周に向かって、もしくは円周から中心に向かって順次点灯させることで、光が広がるような演出が可能である。複数のパターン発光を変化させるために発光体の配列を工夫し、パターン発光をプログラムさせることによってより複雑な演出をすることも可能である。
【００１４】
図２−５の制御部は図３のように構成することができる。マイコン（図３−８）に発光、発音タイミング用外部信号（図３−11）が入力されると発光部電子回路（図３−７）および音響部電子回路（図３−９）に信号が送られ、指定されて発光パターンで発光体が発光する。発光と同時に電子音を発生させることもできる。パターン変更用外部信号（図３−10）は発光パターンを外部からプログラムすることも可能である。
【産業上の利用可能性】
【００１５】
風鈴に加えて、演出効果に優れたイルミネーション、看板にも利用可能である。
【符号の説明】
【００１６】
１：吊糸
２：風鈴（釣鐘状音発生部材）
３：発光部（発光体を内蔵した部材）
４：風受部材
５：制御部
６：音発生用衝突部材
７：発光部電子回路
８：マイコン（および駆動用電源）
９：音響部電子回路
１０：パターン変更用外部信号
１１：発光、発音タイミング用外部信号
【図１】
0003189845.tif 000003
【図２】
0003189845.tif 000004
【図３】
0003189845.tif 000005
(57)【要約】      （修正有）【課題】３６０度同時に風力を送ることができる全方位送風扇風機の構造を提供する。【解決手段】扇風機１０と、誘導カバー体２０とからなる。扇風機１０は、上向きに気流を送る羽根１３を有する。ガード１４は、羽根１３を覆い包んで保護する。誘導カバー体２０には、弧壁２１が周設され、弧壁２１がガード中央から上向き且つ外側へ向かって弧状に延伸する。更に誘導カバー体２０は、略錐体の外型を呈するとともにガード中央に倒立して組み合わされる。以上の構造により、扇風機１０の気流は弧壁２１に誘導されて、放射状に誘導カバー体２０の四周へ送られる。【選択図】図１
0003189891.tif 000002
【実用新案登録請求の範囲】
【請求項１】
扇風機と、誘導カバー体とからなる全方位送風扇風機の構造であって、
前記扇風機は、台座と、モーターと、羽根と、ガードとからなり、
前記モーターは、上向きに前記台座に固定されるとともに前記羽根と結合され、
前記ガードは、前記羽根を覆い包んで保護するとともに、上ガードを有し、且つ前記ガード中央には結合部が設けられ、
前記誘導カバー体は、略錐体の外型を呈するとともに、前記上ガード中央の結合部に倒立して設けられ、
更に前記誘導カバー体には、弧壁が周設され、
前記弧壁は、前記上ガード中央から上向き且つ外側へ向かって弧状に延伸して設けられ、
以上の構造により、
扇風機の気流は、前記弧壁に誘導されて、放射状に前記誘導カバー体の四周へ送られることを特徴とする、全方位送風扇風機の構造。
【考案の詳細な説明】
【技術分野】
【０００１】
本考案は、扇風機の構造に関し、特に、３６０度同時に風力を送ることができる、全方位送風扇風機の構造に関する。
【背景技術】
【０００２】
従来における首振り機能を備えた扇風機において、扇風機ヘッド部が回転する角度は、決められた角度内で往復揺動を行うように設計されていることが多い。よって、多数の使用者が間隔を置いて座っている場合、前記角度内に位置する使用者にしか風が当たらず、理想的とは言いがたい。
【０００３】
近年、ダブルヘッド部を備えた扇風機が製品として市場に登場した。ダブルヘッド式扇風機は二つの相反する送風方向を備えているものの、気流形成の低下を回避するため、業者は回転させないことを薦めており、更に設置位置も壁隅に限定されており、不便である。このほか、３６０度回転し続けることのできる扇風機ヘッド部の構造もあるが、この種の回転ヘッド部の構造は複雑で、且つコストが高いため、価格が手頃ではなく、メンテナンスも困難である。よって、この種の３６０度回転する扇風機の構造も改善の余地があると言える。
【考案の概要】
【考案が解決しようとする課題】
【０００４】
上記に鑑み、本考案は、３６０度同時に風力を送ることができる、全方位送風扇風機の構造を提供することを目的とする。
【課題を解決するための手段】
【０００５】
本考案が提供する全方位送風扇風機の構造は、扇風機と、誘導カバー体とからなる。前記扇風機は、台座と、モーターと、羽根と、ガードとからなる。前記モーターは、上向きに台座に固定されるとともに羽根と結合される。前記ガードは、羽根を覆い包んで保護するとともに、上ガードを有し、且つ前記ガード中央には結合部が設けられる。前記誘導カバー体は、略錐体の外型を呈するとともに、上ガード中央の結合部に倒立して設けられる。更に前記誘導カバー体には弧壁が周設され、前記弧壁は上ガード中央から上向き且つ外側へ向かって弧状に延伸して設けられる。
【０００６】
上述した全方位送風扇風機の構造において、更に、前記誘導カバー体の面積は少なくとも気流の範囲全体を含む。
【０００７】
上述した全方位送風扇風機の構造において、更に、前記弧壁には複数の突出した突起リブが平均的に設けられる。また、２つの突起リブの間には誘導溝が形成される。
【考案の効果】
【０００８】
以上により、扇風機の気流は弧壁の誘導によって、放射状に誘導カバー体の四周へ向かって送られる。従来の扇風機の構造と比べた場合、本考案の全方位送風扇風機の構造は、利用が簡単で実施しやすい構造であるため、確実に全周囲送風の効果を達成することができる。
【図面の簡単な説明】
【０００９】
【図１】本考案の実施例の外観を示した概略図である。
【図２】本考案の実施例の構造を示した分解図である。
【図３】本考案の実施例における気流の方向を示した概略図である。
【図４】図２における誘導カバー体のもう一つの実施例を示した概略図である。
【考案を実施するための形態】
【００１０】
図１及び図２を参照する。本考案の全方位送風扇風機の構造は、扇風機１０と、誘導カバー体２０とからなる。図中に示したように、扇風機１０は、台座１１と、モーター１２と、羽根１３と、ガード１４とからなる。モーター１２は、軸心１２１によって垂直且つ上向きに固定の角度で台座１１に設けられる。羽根１３は、軸心１２１と組み合わされて水平に設けられる。ガード１４は、上下から羽根１３を覆い包むことによって保護作用を生じる。誘導カバー体２０は、略錐体の外型を呈するとともに、螺合部品３０によって上ガード１４１中央の結合部１４２に組み合わされる。誘導カバー体２０の面積は少なくとも扇風機の気流の範囲を含む。更に誘導カバー体２０には弧壁２１が周設され、弧壁２１は上ガード１４１中央から上向き且つ外側へ向かって弧状に延伸して設けられる。
【００１１】
図３を参照する。図は、本考案における上述の構造に基づいて組み立てた実施例である。まず、本考案において、モーター１２が垂直且つ上向きに設けられることにより、羽根１３から生じた風は自然に上方へ送られる。これに続き、ガード１４から出た風は誘導カバー体２０の弧壁２１に導かれることにより、放射状に誘導カバー体２０の四周へ向かって送られる。つまり、使用者は扇風機の四周における任意の角度において、いずれも自然に風が吹き付けるのを感じることができる。以上により、本考案の扇風機の構造は全方位への送風という目的を達成する。
【００１２】
続いて図４を参照する。図は、本考案の全方位送風扇風機の構造における誘導カバー体のもう一つの実施例を示した概略図である。図に示したように、弧壁２１には更に複数の突出した突起リブ２２が平均的に設けられる。２つの突起リブ２２の間には、自然に誘導溝２３が形成される。これにより、気流の流動方向を誘導し、気流の方向の安定性を向上させるという効果を生む。また、誘導カバー体２０の上方には、更に遮蔽部２４が被せられるか、或いは、更に装飾性を備えた設計を加えることにより、外観の美観を向上させることができる。
【符号の説明】
【００１３】
１０   扇風機
１１   台座
１２   モーター
１２１ 軸心
１３   羽根
１４   ガード
１４１ 上ガード
１４２ 結合部
２０   誘導カバー体
２１   弧壁
２２   突起リブ
２３   誘導溝
２４   遮蔽部
３０   螺合部品
【図１】
0003189891.tif 000003
【図２】
0003189891.tif 000004
【図３】
0003189891.tif 000005
【図４】
0003189891.tif 000006
(57)【要約】      （修正有）【課題】手近の材料を使用して簡単に作成することができ、尿を内部で吸収し、悪臭を遮蔽し、介護者が労することなく設置及び処理することができる、簡易トイレ用汚物処理袋を提供する。【解決手段】本体２がポリエチレンなどの防水素材から成り、袋の内側開放部周縁にゴム等紐状の固定具３を具備し、開放部と固定具を外側に折り返すことにより、簡易トイレのバケツなどの容器５の開放部に仮固定できるようになっている。袋内側底部には、高分子吸収材から成る吸収帯４を具備し、尿と悪臭を吸収できるようになっている。使用後は、容器から外し、紐又はゴムで開放部をくくり、廃棄することができる。【選択図】図２
0003189803.tif 000002
【実用新案登録請求の範囲】
【請求項１】
鉛直上方向に開放された容器の内部に設置する汚物処理袋であって、該袋は、
開放部周縁に前記容器に着設するための固定具と、袋内底部に吸収帯と、を具備することを特徴とする汚物処理袋。
【請求項２】
前記汚物処理袋本体は、ポリエチレン製であることを特徴とする請求項１記載の汚物処理袋。
【請求項３】
前記固定具は、前記解放部周縁に接着又は縫接されたゴム又は布製の紐であることを特徴とする請求項１又は２記載の汚物処理袋。
【請求項４】
前記吸収帯の素材は、高分子吸収材であることを特徴とする請求項１乃至３のいずれかに記載の汚物処理袋。
【考案の詳細な説明】
【技術分野】
【０００１】
本考案は、簡易トイレに使用する汚物処理袋に関する。
【背景技術】
【０００２】
排泄物処理用具としては、紙おむつ、生理用品、ペット用のマットなどが市販されている。また、老人介護施設などにおいては、使用後に中のバケツを外して処理する簡易トイレが使用されている。
【０００３】
用具や簡易トイレの準備がない災害時などの排泄物処理は、ポリエチレン製のごみ袋などを代用することになる。
【先行技術文献】
【特許文献】
【０００４】
【特許文献１】特開２０１３−０６３０１０号公報
【特許文献２】実用新案登録第３１８５９２１号
【考案の概要】
【考案が解決しようとする課題】
【０００５】
前述のように、紙おむつ等が必要でない病人や老人の介護においては、室内に簡易トイレを配置し、使用後にバケツを外して洗い場まで運んで清浄するが、その作業は介護者にとって大きな負担となるほか、専用の洗い場等の設備がない施設においては、バケツの清浄自体が難しい。
【０００６】
また、排泄物やバケツに固着した臭いの問題も、周囲や本人を悩ますことになる場合が多い。
【０００７】
上述の問題を解決することを目的に、特許文献１には簡易式の組立てトイレ枠と処理袋とのセットに関する発明が、また、特許文献２には、簡易トイレの排泄物をゲル化剤を使用してゲル化するための排泄物収容袋の考案が開示されている。
【０００８】
しかしながら、特許文献１のトイレ枠と処理袋のセットは、汎用性に欠けるうえ、作成が面倒である。また、特許文献２の排泄物収容袋は、ゲル化剤を必要とするうえ、袋の形状にも制限があるため、準備に手間がかかる。
【０００９】
これらの問題を踏まえ、本考案は、手近の材料を使用して簡単に作成することができ、汚物の臭いを遮蔽して介護者が簡単に設置及び処理することができる簡易トイレ用汚物処理袋を提供することを課題とする。
【課題を解決するための手段】
【００１０】
上記課題を解決するために、本考案に係る汚物処理袋は、本体がポリエチレンなどの防水素材から成り、袋の内側開放部周縁にゴムなど紐状の固定具を具備し、該開放部と固定具を外側に折り返すことにより、簡易トイレのバケツなどの容器の開放部に仮固定できるようになっている。
【００１１】
また、本汚物処理袋の内側底部には、高分子吸収材から成る吸収帯が配設され、尿と悪臭を吸収できるようになっている。
【００１２】
使用後は、容器から外し、紐又はゴムで開放部をくくり、そのまま廃棄することができる。
【考案の効果】
【００１３】
本考案の汚物処理袋により、簡易トイレのバケツを水洗いする必要がなくなるため、介護者の労働が緩和される。また、汚物を袋ごと処理できるため、衛生的である。
【００１４】
袋の内側底部に配設された高分子吸収材から成る吸収帯が尿と悪臭を吸収するため、室内に悪臭を拡散させる可能性が減る。このことにより、被介護者の羞恥心を和らげるとともに、同室の者の不快感を減少させることができる。
【００１５】
身近の材料を使って簡単に作成することができるため、費用がかからず、災害時の仮設トイレとしても使用することができる。
【図面の簡単な説明】
【００１６】
【図１】本考案の汚物処理袋の構成と作成方法を示す斜視図である。
【図２】汚物処理袋をバケツに仮固定する手順を示す斜視図である。
【図３】汚物処理袋をバケツから外して処理する手順を示す斜視図である。
【考案を実施するための形態】
【００１７】
以下、本考案の実施形態について図を用いて説明する。
本実施形態の汚物処理袋の本体２は、市販のポリエチレン製ごみ袋を適当な大きさに切り取ったものを使用する。大きさが合えば、スーパーマーケットで配布されるキャリー袋でもよい。
【００１８】
袋の内側底部には、高分子吸収材から成る吸収帯４を適当な大きさに切って、接着剤などで貼り付ける。吸収帯４の素材としては市販の紙おむつが最適であるが、生理用ナプキンを数枚並べて貼り付けて使用することもできる。
【００１９】
簡易トイレのバケツ５に取り付けるための固定具３としては、衣服用のゴムを使用する。図１に示すように、ゴム３は袋の内側の開放部周縁に、袋の開放部がバケツ５の開放部より小さくなるように、周縁をギャザー寄せにして、数か所を縫着又は接着剤で固定する。つぎに、ゴム３を付けた部分が外側になるように、袋の開放部を外側に折り返す（図１矢印）。
【００２０】
最後に、完成した汚物処理袋１をバケツ５に挿入し、ゴム３を付けた部分を両手で広げながら、汚物処理袋１をバケツ５の開放部周縁に仮固定する（図２）。
【００２１】
トイレ使用後は、汚物処理袋１をバケツ５から外し、紐又はゴム６で開放部をくくり、袋ごと廃棄する（図３）。
【符号の説明】
【００２２】
１    汚物処理袋
２    袋本体
３    固定具（ゴム）
４    吸収帯
５    簡易トイレのバケツ
６    紐又はゴム
【図１】
0003189803.tif 000003
【図２】
0003189803.tif 000004
【図３】
0003189803.tif 000005
(57)【要約】      （修正有）【課題】どんな調律時やすくい撥でも糸外れを完全に防止する三味線用駒を提供する。【解決手段】駒の本体Ａ上部に糸の直径より大きい穴を開け、貫通させた穴を糸道Ｂとする。この穴に糸を通すため、上下左右に糸が動かず糸外れを完全に防止出来る。【選択図】図１
0003189830.tif 000002
【実用新案登録請求の範囲】
【請求項１】
駒の本体上部に糸の直径より大きい穴を開け、貫通させた穴を糸道とすることを特徴とした三味線用駒である。
【考案の詳細な説明】
【技術分野】
【０００１】
本考案は、糸外れを防止する三味線用駒に関する。
【背景技術】
【０００２】
従来の三味線用駒の構造は、図６に示すように糸道がＶ字状に切ってあるだけである。
【考案の概要】
【考案が解決しようとする課題】
【０００３】
三味線用の駒は糸道がＶ字状に切ってあるだけで、糸の張力が弱い音程の低い調律時や、激しい撥さばき、特にすくい撥で糸が駒から外れてしまうことがある。  
本考案は、どんな調律時やすくい撥でも糸外れを完全に防止する三味線用駒を提供する。
【課題を解決するための手段】
【０００４】
以上の課題を解決するために、第一考案は駒の本体上部に糸の直径より大きい穴を開け、貫通させた穴を糸道とすることを特徴とした三味線用駒である。
この穴に糸を通すため、上下左右に糸が動かず糸外れを完全に防止出来る。  
【考案の効果】
【０００５】
第一考案によれば、駒の本体上部に糸の直径より大きい穴を開け、貫通させた穴を糸道とする。
この穴に糸を通すため、上下左右に糸が動かず糸外れを完全に防止出来る。
【図面の簡単な説明】
【０００６】
【図１】本考案の一実施形態を示した、斜視図である。
【図２】本考案の一実施形態を示した、立面図である。
【図３】本考案の一実施形態を示した、平面図である。
【図４】本考案の一実施形態を示した、側面図である。
【図５】本考案の一実施形態を示し、糸を張った場合の斜視図である。
【図６】従来技術を示した斜視図である。
【考案を実施するための形態】
【０００７】
以下、本考案の一実施形態を、図に基づいて説明する。
【実施例１】
【０００８】
図１から図４は、駒の本体上部に糸の直径より大きい穴を開け、貫通させた穴を糸道とする。
【実施例２】
【０００９】
図５は、貫通した糸道に糸を通して設置した場合で、駒から糸が外れることはない。
【産業上の利用可能性】
【００１０】
本考案は、三味線用の駒を製造する産業で利用される。
【符号の説明】
【００１１】
Ａ．駒本体
Ｂ．糸道
【図１】
0003189830.tif 000003
【図２】
0003189830.tif 000004
【図３】
0003189830.tif 000005
【図４】
0003189830.tif 000006
【図５】
0003189830.tif 000007
【図６】
0003189830.tif 000008
(57)【要約】      （修正有）【課題】普通市販されている巻き簾に海苔を置く位置、具を置く位置について、その位置を知らしめ、簡単にきれいに巻寿司を作ることができる巻き簾を提供する。【解決手段】巻き簾の色付き籖状部材（海苔下端）２と色付き籖状部材（海苔下端）６の間に海苔を置く。次に、その海苔の上に約５〜１０ｍｍ程度の厚さで色付き籖状部材（海苔下端）６と色付き籖状部材３の位置まで間に寿司飯を敷き詰める。次に、寿司飯の上に椎茸や干瓢などの具材を色付き籖伏部材（具材置き上端線）４と色つき籖状部材（具材置き下端線）５の間に配置する。次に、巻き簾９の手前を持ち、巻き簾上の食材を丸め込む状態で色つき籖状部材３の位置まで運ぶ。最後に、色付き籖状部材３の位置まで運んだ巻き簾９を緩め、色付き籖状部材２の位置に運び、形を整え、綺麗に巻きあげる。【選択図】図１
0003189394.tif 000002
【実用新案登録請求の範囲】
【請求項１】
巻き簾に、海苔を置く位置、具を置く位置を巻き簾に使用する籖状部材に着色することによって、その位置を知らしめ、簡単にきれいに巻寿司を作ることができる巻き簾。
【考案の詳細な説明】
【技術分野】
【０００１】本考案は、家庭の主婦が簡単にしかも綺麗に巻き寿司を巻くための巻き簾に関するものである。
【背景技術】
【０００２】  従来は、巻き寿司を作る用具としては、寿司屋等の専門家が使用するいわゆる巻き簾があった。また、家庭においても同様に、巻き寿司を作る際には巻き簾を用いて作っていたが、この巻き簾を使って巻き寿司を作る際に、巻き寿司の中に入れる具などの入れる位置によっては、巻き上がった巻き寿司を切断したとき、具が、巻き寿司の中央にくるように巻くには、大変難しかった。
それを解決するために下記の考案出願もあるが、この考案出願のものは、平面矩形状をなす台が必要であり、かなり大掛かりな器具であり、高額な商品である。
【先行技術文献】
【特許文献】
【０００３】
【特許文献１】実開平７−３００８７号公報
【考案の概要】
【考案が解決しようとする課題】
【０００４】  家庭で巻寿司を作る際には、まず、海苔を巻き簾上に載せ、その上に寿司飯を載せる。その寿司飯の上に、干瓢や椎茸、厚焼き玉子焼きなどの具を置いて巻き込んでつくるのであるが、具をどの位置に置き、手前の海苔の端をどの位置までもっていったら、出来上がった寿司を切断したときに、具が寿司の中央に来るのかがわからない主婦が多かった。
【課題を解決するための手段】
【０００５】  本考案の巻き簾は、普通市販されている巻き簾に、海苔を置く位置、具を置く位置などを巻き簾に使用する籖状部材に着色することによって、その位置を知らしめ、簡単にきれいに巻寿司を作ることができる巻き簾を提供することを目的するものである。
【考案の効果】
【０００６】  本考案の巻き簾は、海苔を置く位置を巻き簾に指定しているため、その位置に海苔を載せ、その海苔の上に寿司飯を延ばして置き、その寿司飯の上に、具の位置を示す範囲に具材を載せ、巻き簾の手前を持ち上げ、具を寿司飯に巻き込みながら、色付き籖状部材３の位置まで運んで巻き込めば、綺麗な巻き寿司が出来上がる。
【図面の簡単な説明】
【０００７】
【図１】本考案である巻き簾を示す平面図
【図２】巻き簾９に海苔（ハ）を敷き、その上に寿司飯（ロ）を延ばし、具（イ）を置く位置を示す位置４から位置５の間に具を乗せた右側面図
【図３】巻き簾９の手前を持ち、海苔（ハ）と寿司飯（ロ）で、具（イ）を巻き込みながら、第一の起点３の位置まで巻き込んだ右側面図
【図４】図３の位置から、第二の基点２の位置まで巻き簾の先端を移動させた右側面図
【考案を実施するための形態】
【０００８】  本考案は巻き簾に、海苔の設置位置、寿司飯を延ばす面積、具材を置く位置などを素人の主婦にも分かるように、巻き簾に使用する籖状部材にその位置を着色して示すことを特徴とする。
【実施例１】
【０００９】  以下、本考案の好適な実施側について図面に基づいて詳細に説明する。
１．本考案の巻き簾を調理台に広げる。
２．本考案の巻き簾の色付き籖状部材（海苔上端）２と色付き籖状部材（海苔下端）６の間に海苔を置く。
３．その海苔（ハ）の上に、約５〜１０ｍｍ程度の厚さで、色付き籖状部材（海苔下端）６と色付き籖状部材２の位置まで間に寿司飯（ロ）を敷き詰める（図２参照）。
４．その敷き詰めた寿司飯（ロ）の上に、色付き籖状部材（具材置き上端線）４と色付き籖状部材（具材置き下端線）５の間に椎茸や干瓢などの具材（イ）を色よく配置する（図２参照）。
５．次に、本考案の巻き簾９の手前を持ち、海苔（ハ）、寿司飯（ロ）で具材（イ）を丸め込む状態で色付き籖状部材３の位置まで運び、綺麗に巻きあげる（図３参照）。
６．最後に、色付き籖状部材３の位置まで運んだ巻き簾９を緩め、色付き籖状部材２の位置に運び、形を整え、綺麗に巻きあげる（図４参照）。
【産業上の利用可能性】
【００１０】  本考案は、巻き寿司を簡単に、かつ、誰が作っても、巻き寿司を切断したときに、中に入れる具材が巻き寿司の中央に来るよう、また、綺麗にできる巻き簾である。
【符号の説明】
【００１１】  １．糸部材（籖連結部材）
２．色付き籖状部材（海苔上端）（第二基点）
３．色付き籖状部材（第一起点）
４．色付き籖状部材（具材置き上端線）
５．色付き籖状部材（具材置き下端線）
６．色付き籖状部材（海苔下端）
７．海苔右端線
８．海苔左端線
９．巻き簾
イ．具材
ロ．寿司飯
ハ．海苔
【図１】
0003189394.tif 000003
【図２】
0003189394.tif 000004
【図３】
0003189394.tif 000005
【図４】
0003189394.tif 000006
(57)【要約】      （修正有）【課題】従来の室内ランニング器に付加して脚力を高めるための室内ランニング器の走行用エンドレスベルトを提供する。【解決手段】足の裏と接触する室内ランニング器１のエンドレスベルト２に、幅２〜３ｍｍ、深さ２〜３ｍｍ程度の凹凸を付け、実際に砂地、砂利道、舗装道路（コンクリート・アスファルト・タイル）、グランド、芝生、農道等をランニングするような感触を覚えるようにする。また、その日の体調、気分等によりエンドレスベルト２を脱着可能にするとともに、赤、黄、緑等にカラフルに着色したり、建物、風景等をエンドレスベルト２表面にプリントする。【選択図】図３
0003189335.tif 000002
【実用新案登録請求の範囲】
【請求項１】
足の裏との接触面側に凹凸模様を付け、脱着可能で、カラフルに着色した室内ランニング器の走行用エンドレスベルト。
【請求項２】
エンドレスベルト面に砂利石・小石・舗道の敷石・タイル・コンクリート歩道等模様を付け、砂利、小石及び敷石の突出部分は凸処理し、低い部分やタイルのつなぎ部分は幅１〜３ｍｍで深さ１〜３ｍｍの凹処理加工した室内ランニング器の走行用エンドレスベルト。
【請求項３】
全面に０．５〜１ｍｍの微小なギザギザの凹凸を付け、山部と谷部の高低差が２〜５ｍｍの不規則な波型を有するようにした室内ランニング器の走行用エンドレスベルト。
【考案の詳細な説明】
【技術分野】
【０００１】
この発明は従来の室内ランニング器に付加して脚力を高めるため考案した健康器具である。
【背景技術】
【０００２】
従来から走行用エンドレスベルトは、足の裏との接触面がフラット（水平）で、色は黒色であった。
【先行技術文献】
【特許文献】
【０００３】
【特許文献１】特開２００５−７４２１１
【特許文献２】実開平６−７５５２６
【考案の概要】
【考案が解決しようとする課題】
【０００４】
今までの室内ランニング器ではベルトの足の裏との接触面はフラットで、掛かりが悪いので走行中、顔の汗が滴り落ちたり足の裏が汗でぬれて滑ったり、靴下で使用したときスリップをしてジョギングにロスが出来たり、危険であった。
【課題を解決するための手段】
【０００５】
本考案は前記課題を解決するために足の裏と接触する室内ランニング器１のエンドレスベルト２に幅が１〜３ｍｍ、深さが１〜３ミリ程度の溝を付け、実際に砂地、砂利道、舗装道路（コンクリート・アスファルト・タイル）、グランド、芝生、農道等をランニングするような感触を覚えるようにする。
請求項２の考案は砂利道、舗装道路、敷石、タイル等の比較的大きな石、タイル、が敷き詰められた例を図２の(b)，(e)，(f)，(g)，(h)，(k)に示す。
請求項３の考案は芝生、砂地、グランド、農道等比較的小さな石、芝生等が敷き詰められたの例を図２の(a)，(c)，(d)，(i)，(j)，(l)に示す。
エンドレスベルト面の製造で、凹凸の処理加工については金型を作り、基材に焼き付け加工する方法を用いる。
また、その日の体調、気分等によりエンドレスベルトを脱着可能にするとともに、赤、黄、緑等にカラフルに着色している。
エンドレスベルトの表面はフラットにしたり、前期のような凹凸を付け、さらに建物、風景などの写真映像をプリントし、使用する楽しみを付加できるようにしてもよい。
【考案の効果】
【０００６】
エンドレスベルト２に凹凸を付加することにより、足裏や土踏まずの刺激の度合いが強くなるので、マッサージ効果を高め、短時間使用でも今までの器具より効率的に健康が得られ体力が増進する。
尚、顔や足の裏の発汗、靴下での使用時のスリップを防止しジョギングのロスや転倒などの危険が避けられる。
また、ベルト面をカラフルにすることにより女性の使用者が増えて、男性と合わせ「肥満体」を解消し、国の推進する「メタボ」対策に貢献する。
【図面の簡単な説明】
【０００７】
【図１】室内ランニング器。
【図２】エンドレスベルトの凹凸の模様例（全１２種類）
【図３】砂利道の模様をプリントして凹凸を持たせたエンドレスベルト                を有する室内ランニング器。白い部分は凸面、黒い部分は凹面を表す。
【図４】室内ランニング器側面図
【考案を実施するための形態】
【０００８】
本考案は室内ランニング器のエンドレスベルト面に凹凸の変化をつけ  健康増進を図るために創造したもので人間工学的にも当を得たものである
【０００９】
図３の１は室内ランニング器の本体で、２はエンドレスベルト面（走行面）の俯瞰図であり、砂利道を表現している。
【符号の説明】
【００１０】
１  室内ランニング器
２  エンドレスベルト
３  ランナー
【図１】
0003189335.tif 000003
【図２】
0003189335.tif 000004
【図３】
0003189335.tif 000005
【図４】
0003189335.tif 000006